(57)【要約】【課題】撮影した撮影データを共有する際の手間を省いて利便性を向上させることができる写真撮影システム、方法、及び端末を提供する。【解決手段】端末１は、カメラ等の画像撮影部による撮影が行われる場合に、撮影を開始する旨を示す撮影開始確認情報を端末２に通知する。端末２は、端末１から撮影開始確認情報が通知された場合に、予め端末２に割当てられた端末識別情報を端末１に返信する。端末１は、端末２の端末識別情報が端末２から送信されてきた場合に、画像撮影部により撮影を行って得られた撮影データに端末識別情報を付加したデータを生成する。【選択図】図１
2011120282.tif 000002
【特許請求の範囲】
【請求項１】
撮影機構を備える第１端末と、第２端末とを含む写真撮影システムであって、
前記第１端末は、
前記撮影機構による撮影が行われる場合に、撮影を開始する旨を示す撮影開始確認情報を前記第２端末に通知する通知手段と、
前記第２端末に予め割り当てられた第２端末識別情報が前記第２端末から送信されてきた場合に、前記撮影機構により撮影を行って得られた撮影データに前記第２端末識別情報を付加したデータを生成するデータ生成手段と、を備え
前記第２端末は、前記第１端末から前記撮影開始確認情報が通知された場合に、前記第２端末識別情報を前記第１端末に返信する返信手段を備える
ことを特徴とする写真撮影システム。
【請求項２】
前記第２端末の前記返信手段は、前記第２端末識別情報を返信する場合に、前記撮像データの受信を要求する受信要求信号を前記第２端末識別情報とともに返信することを特徴とする請求項１記載の写真撮影システム。
【請求項３】
前記第２端末は、前記第１端末から通知された前記撮影開始確認情報の履歴を記録する履歴記録手段を備えることを特徴とする請求項２記載の写真撮影システム。
【請求項４】
前記第１端末の前記通知手段は、前記撮影開始確認情報を通知する場合に、前記第１端末に予め割り当てられた第１端末識別情報を前記撮影開始確認情報とともに通知し、
前記第２端末の前記記録手段は、第１端末から通知された前記第１端末識別情報と前記撮影開始確認情報とを対応付けて前記履歴として記録する
ことを特徴とする請求項３記載の写真撮影システム。
【請求項５】
前記第１端末及び前記第２端末は、基地局を介して通信を行う通信手段をそれぞれ備えており、
前記第１端末は、前記通信手段を制御して、前記データ生成手段で生成されたデータを、前記基地局を介して前記受信要求信号を送信してきた前記第２端末に送信する送信手段を備える
ことを特徴とする請求項２から請求項４の何れか一項に記載の写真撮影システム。
【請求項６】
前記基地局に接続されたサーバ装置を備えており、
前記第１端末の前記送信手段は、前記データ生成手段で生成されたデータを、前記基地局を介して前記サーバ装置に送信することを特徴とする請求項５記載の写真撮影システム。
【請求項７】
前記第２端末は、前記第１端末から前記サーバ装置に送信された前記データを、前記通信手段を制御して取得する取得手段を備えることを特徴とする請求項６記載の写真撮影システム。
【請求項８】
撮影機構を備える第１端末を用いた写真撮影方法であって、
前記撮影機構による撮影を行う際に、撮影を開始する旨を示す撮影開始確認情報を第２端末に通知する通知ステップと、
前記第１端末から前記撮影開始確認情報が通知されたときに、前記第２端末に予め割り当てられた第２端末識別情報を、前記第２端末から前記第１端末に返信する返信ステップと、
前記第２端末情報が前記第２端末から送信されてきた場合に、前記撮影機構により撮影を行って得られた撮影データに前記第２端末識別情報を付加したデータを生成するデータ生成ステップと
を含むことを特徴とする写真撮影方法。
【請求項９】
前記返信ステップは、前記第２端末識別情報とともに前記撮像データの受信を要求する受信要求信号を返信するステップであり、
前記データ生成ステップで生成されたデータを、前記第１端末から基地局を介して前記受信要求信号を送信してきた前記第２端末に送信する送信ステップを含むことを特徴とする請求項８記載の写真撮影方法。
【請求項１０】
前記第１端末から前記撮影開始確認情報が通知されたときに、前記第２端末が前記撮影開始確認情報の履歴を記録する履歴記録ステップを含むことを特徴とする請求項８又は請求項９記載の写真撮影方法。
【請求項１１】
前記基地局にはサーバ装置が接続されており、
前記送信ステップは、前記データ生成手段で生成されたデータを、前記基地局を介して前記サーバ装置に送信するステップであることを特徴とする請求項９記載又は請求項１０記載の写真撮影方法。
【請求項１２】
前記第２端末が前記サーバ装置にアクセスして、前記第１端末から前記サーバ装置に送信された前記データを取得する取得ステップを含むことを特徴とする請求項１１記載の写真撮影方法。
【請求項１３】
撮影機構を備える写真撮影端末において、
前記撮影機構による撮影が行われる場合に、撮影を開始する旨を示す撮影開始確認情報を他の端末に通知する通知手段と、
前記他の端末に予め割り当てられた端末識別情報が前記端末から送信されてきた場合に、前記撮影機構により撮影を行って得られた撮影データに前記端末識別情報を付加したデータを生成するデータ生成手段と
を備えることを特徴とする写真撮影端末。
【発明の詳細な説明】
【技術分野】
【０００１】
本発明は、写真撮影システム、方法、及び端末に関する。
【背景技術】
【０００２】
近年、静止画のみならず動画も撮影可能なディジタルカメラ、カメラ付携帯電話機等の写真撮影端末の普及がめざましく、静止画及び動画の撮影を気軽に行えるようになっている。これらの写真撮影端末で撮影された撮影データは、撮影を行った写真撮影端末内に設けられた内部メモリ、又は写真撮影端末に対して着脱可能な外部記憶メモリに記憶される。撮影した撮影データの配布対象者への配布方法は、主に以下の３つの方法が挙げられる。
【０００３】
第１の方法は、写真撮影端末に電子メール機能が付属している場合には、送信すべき撮影データが添付された電子メールを配布対象者宛てに送信する方法である。第２の方法は、写真撮影端末に着脱可能な外部記憶メモリを配布対象者に受け渡す方法である。第３の方法は、撮影データをサーバにアップロードし、配布対象者がそのサーバにアクセスして撮影データを取得する方法である。これらの方法を用いることにより、撮影データを複数人で共有することが可能となる。
【０００４】
尚、以下の特許文献１には、被撮影者のプライバシーの侵害を防止すべく、撮影者が所持するカメラの撮影撮影範囲を表す撮影情報を、被撮影者が所持する被撮影者端末に送信する技術が開示されている。また、以下の特許文献２には、撮影した画像の整理や検索を容易にすべく、無線基地局との間で交信を行って交信先の無線基地局を特定する情報を位置情報として取り込み、この位置情報を画像信号とともに記録する技術が開示されている。
【先行技術文献】
【特許文献】
【０００５】
【特許文献１】特開２００５−１５０９３９号公報
【特許文献２】特開２００１−２８５７８５号公報
【発明の概要】
【発明が解決しようとする課題】
【０００６】
ところで、撮像した撮影データを上述した第１の方法で配布するには、配布対象者の宛先を特定した上で電子メールを送信する必要がある。配布対象者が２，３人程度であればさほど手間がかからないが、配布対象者の宛先を特定する作業は配布対象者の数に比例して増大するため、配布対象者が多くなると極めて手間及び時間がかかるという問題がある。また、上述した方法で配布するには、配布対象者に直接会って外部記憶メモリを受け渡す必要があるが、配布対象者が多くなると極めて面倒であるという問題がある。
【０００７】
また、上述した第３の方法で撮影データを配布すると、上述の第１の方法で必要であった配布対象者の宛先を特定するという作業を省くことができる。しかしながら、第３の方法では、撮影データの配布者が利用するサーバのアカウントを配布対象者も取得しており、且つ各々がお互いのアカウントを知っておく必要がある。また、サーバにアップロードしただけでは、配布者のアカウントを知る者、或いは誰でも全ての撮影データの閲覧が可能になってしまうため、アップロードする撮影データ毎に配布対象者毎のアクセス権を設定する必要がある。この作業も配布対象者の数に応じて増大するため、配布対象者が多くなると極めて手間及び時間がかかるという問題がある。
【０００８】
本発明は、上記事情に鑑みてなされたものであり、撮影した撮影データを共有する際の手間を省いて利便性を向上させることができる写真撮影システム、方法、及び端末を提供することを目的とする。
【課題を解決するための手段】
【０００９】
上記課題を解決するために、本発明の写真撮影システムは、撮影機構を備える第１端末と、第２端末とを含む写真撮影システムであって、前記第１端末は、前記撮影機構による撮影が行われる場合に、撮影を開始する旨を示す撮影開始確認情報を前記第２端末に通知する通知手段と、前記第２端末に予め割り当てられた第２端末識別情報が前記第２端末から送信されてきた場合に、前記撮影機構により撮影を行って得られた撮影データに前記第２端末識別情報を付加したデータを生成するデータ生成手段と、を備え前記第２端末は、前記第１端末から前記撮影開始確認情報が通知された場合に、前記第２端末識別情報を前記第１端末に返信する返信手段を備えることを特徴としている。
【００１０】
また、本発明の写真撮影システムは、前記第２端末の前記返信手段が、前記第２端末識別情報を返信する場合に、前記撮像データの受信を要求する受信要求信号を前記第２端末識別情報とともに返信することを特徴としている。
【００１１】
また、本発明の写真撮影システムは、前記第２端末が、前記第１端末から通知された前記撮影開始確認情報の履歴を記録する履歴記録手段を備えることを特徴としている。
【００１２】
また、本発明の写真撮影システムは、前記第１端末の前記通知手段が、前記撮影開始確認情報を通知する場合に、前記第１端末に予め割り当てられた第１端末識別情報を前記撮影開始確認情報とともに通知し、前記第２端末の前記記録手段は、第１端末から通知された前記第１端末識別情報と前記撮影開始確認情報とを対応付けて前記履歴として記録することを特徴としている。
【００１３】
また、本発明の写真撮影システムは、前記第１端末及び前記第２端末が、基地局を介して通信を行う通信手段をそれぞれ備えており、前記第１端末は、前記通信手段を制御して、前記データ生成手段で生成されたデータを、前記基地局を介して前記受信要求信号を送信してきた前記第２端末に送信する送信手段を備えることを特徴としている。
【００１４】
また、本発明の写真撮影システムは、前記基地局に接続されたサーバ装置を備えており、前記第１端末の前記送信手段は、前記データ生成手段で生成されたデータを、前記基地局を介して前記サーバ装置に送信することを特徴としている。
【００１５】
また、本発明の写真撮影システムは、前記第２端末が、前記第１端末から前記サーバ装置に送信された前記データを、前記通信手段を制御して取得する取得手段を備えることを特徴としている。
【００１６】
上記課題を解決するために、本発明の写真撮影方法は、撮影機構を備える第１端末を用いた写真撮影方法であって、前記撮影機構による撮影を行う際に、撮影を開始する旨を示す撮影開始確認情報を第２端末に通知する通知ステップと、前記第１端末から前記撮影開始確認情報が通知されたときに、前記第２端末に予め割り当てられた第２端末識別情報を、前記第２端末から前記第１端末に返信する返信ステップと、前記第２端末情報が前記第２端末から送信されてきた場合に、前記撮影機構により撮影を行って得られた撮影データに前記第２端末識別情報を付加したデータを生成するデータ生成ステップとを含むことを特徴としている。
【００１７】
また、本発明の写真撮影方法は、前記返信ステップが、前記第２端末識別情報とともに前記撮像データの受信を要求する受信要求信号を返信するステップであり、前記データ生成ステップで生成されたデータを、前記第１端末から基地局を介して前記受信要求信号を送信してきた前記第２端末に送信する送信ステップを含むことを特徴としている。
【００１８】
また、本発明の写真撮影方法は、前記第１端末から前記撮影開始確認情報が通知されたときに、前記第２端末が前記撮影開始確認情報の履歴を記録する履歴記録ステップを含むことを特徴としている。
【００１９】
また、本発明の写真撮影方法は、前記基地局にはサーバ装置が接続されており、前記送信ステップは、前記データ生成手段で生成されたデータを、前記基地局を介して前記サーバ装置に送信するステップであることを特徴としている。
【００２０】
また、本発明の写真撮影方法は、前記第２端末が前記サーバ装置にアクセスして、前記第１端末から前記サーバ装置に送信された前記データを取得する取得ステップを含むことを特徴としている。
【００２１】
上記課題を解決するために、本発明の写真撮影端末は、撮影機構を備える写真撮影端末において、前記撮影機構による撮影が行われる場合に、撮影を開始する旨を示す撮影開始確認情報を他の端末に通知する通知手段と、前記他の端末に予め割り当てられた端末識別情報が前記端末から送信されてきた場合に、前記撮影機構により撮影を行って得られた撮影データに前記端末識別情報を付加したデータを生成するデータ生成手段とを備えることを特徴としている。
【発明の効果】
【００２２】
本発明によれば、第１端末が備える撮影機構で撮影を行うときに撮影を開始する旨を示す撮影開始確認情報を第２端末に通知し、この通知を受け取った第２端末は予め割り当てられている第２端末識別情報を第１端末に返信し、第１端末は撮影機構により撮影を行って得られた撮影データに第２端末から返信されてきた第２端末識別情報を付加したデータを生成している。このため、撮影した撮影データを共有する際の手間を省いて利便性を向上させることができるという効果がある。
【図面の簡単な説明】
【００２３】
【図１】本発明の一実施形態による写真撮影システムを模式的に示す図である。
【図２】端末１，２の概略構成を示すブロック図である。
【図３】撮影時において端末１で行われる処理を示すフローチャートである
【図４】端末１の撮影時に端末２で行われる処理を示すフローチャートである。
【図５】端末２に記録される撮影履歴データの一例を示す図である。
【図６】撮影後において端末１で行われる処理を示すフローチャートである。
【図７】サーバ４にアップロードされた撮影データを端末２で取得する処理を示すフローチャートである。
【図８】撮影データを端末２に送信する処理を示すフローチャートである。
【発明を実施するための形態】
【００２４】
以下、図面を参照して本発明の一実施形態による写真撮影システム、方法、及び端末について詳細に説明する。
【００２５】
〔写真撮影システム〕
図１は、本発明の一実施形態による写真撮影システムを模式的に示す図である。図１に示す通り、本実施形態の写真撮影システムは、写真撮影端末（以下、端末という）１，２、基地局３、及びサーバ装置（以下、サーバという）４を備えている。尚、基地局３は、例えば所定の間隔で複数設けられているが、図１では図示の簡略化のために１つの基地局３のみを図示している。また、本実施形態では、端末１，２が携帯電話機である場合を例に挙げて説明するが、例えば端末１が以下に説明する無線通信機能及び交信機能を備えたディジタルカメラ等であってもよい。
【００２６】
端末１は、撮影機構と、基地局３との間で無線信号の送受信を行う無線通信機能と、他の端末（例えば、端末２）との間での局所的（ローカル）な交信を行う交信機能とを備えている。端末１が備える無線通信機能により、端末１は、基地局３を介して他の端末（例えば、端末２）との間の通話、及び電子メールの送受信等の通信が可能である。また、端末１が備える交信機能により、端末１は、例えば、数十〜百メートル程度の距離に位置する他の端末（例えば、端末２）との間で直接情報の交信が可能である。
【００２７】
端末２は、端末１と同様の構成である。但し、端末２には撮影機構が必ずしも設けられている必要はないが、上述した無線通信機能と交信機能とを備えている必要がある。尚、本実施形態では説明の簡単のため、端末２は端末１と同様の構成である場合を例に挙げて説明する。
【００２８】
基地局３は、端末１，２の各々に対してチャネル（通信チャネル）を割り当て、割り当てたチャネルを介して例えば符号分割多重接続（ＣＤＭＡ：Code Division Multiple Access ）方式により無線信号の送受信を行う。これにより、例えば端末１のユーザと他の端末２のユーザとの間の通話が可能となる。サーバ４は、ネットワークＮを介して基地局３と接続されており、端末１から基地局３を介して送信されてくる（アップロードされる）各種データを保存し、端末２からの要求があった場合には、保存しているデータを端末２に送信する。
【００２９】
〔写真撮影端末〕
図２は、端末１，２の概略構成を示すブロック図である。図２に示す通り、端末１，２は、無線通信部１１、交信部１２、キー入力部１３、表示部１４、音声入出力部１５、画像撮影部１６、制御部１７、ＲＯＭ（Read Only Memory）１８、及びＲＡＭ（Random Access Memory）１９を含んで構成される。
【００３０】
無線通信部１１は、制御部１７による制御の下で所定の通信方式、例えばＣＤＭＡ方式等を用いて基地局３との間で無線通信を行うものである。交信部１２は、制御部１７による制御の下で、例えば数十〜百メートル程度の距離に位置する他の端末（例えば、端末２）との間での局所的（ローカル）な無線通信の送受信による交信を行うものである。この交信部１２の通信規格としては、例えばBluetooth（登録商標）通信を用いることができる。
【００３１】
キー入力部１３は、ダイヤルキー、ファンクションキー、電源キー等から構成されており、これらキーのユーザによる操作内容を操作信号として制御部１７に出力する。表示部１４は、例えば液晶ディスプレイや有機ＥＬディスプレイ等であり、制御部１７から入力される表示信号に基づいて各種メッセージ、電話番号、画像等を表示する。音声入出力部１５は、スピーカ及びマイクを備え、制御部１７から入力される音声信号に基づいて音声や音楽をスピーカを介して外部に出力する一方、マイクを介して入力された音声等を音声信号に変換して制御部１７に出力する。画像撮影部１６は、例えばＣＣＤ（Charge Coupled Device）カメラ等の撮像素子を備え、制御部１７の制御の下で、撮影した撮影データを制御部１７に出力する。尚、画像撮影部１６は、静止画及び動画の何れか一方が撮影可能なもの、又は静止画及び動画の両方が撮影可能なものを用いることができる。
【００３２】
制御部１７は、ＲＯＭ１８に予め記憶された所定の制御プログラム、キー入力部１３から入力される操作信号、及び無線通信部１１の通信状態又は交信部１２の交信状態等に基づいて、端末１の全体動作を制御するものである。また、この制御部１７は、上記制御プログラムに基づく特徴的な制御処理として、画像撮影部１６で撮影を行う際に、撮影を行う旨を示す撮影開始確認情報を他の端末へ通知する処理、画像撮影部１６で撮影をして得られた撮影データに撮影開始確認情報を通知した端末に関する情報を付加したデータを生成する処理、電子メールを送信する処理、サーバ４へのアクセス処理等を行う。また、撮影開始確認情報が通知された場合には、その履歴を示す撮影履歴データを記録する処理も行う。尚、これら各処理の詳細については後述する。
【００３３】
ＲＯＭ１８は、例えばフラッシュメモリであり、制御部１７が実行する制御プログラムや各種データを記憶する。また、ユーザ毎の電話番号、電子メールアドレス、性別、年齢、趣味、及び誕生日等の個人情報を含むアドレス帳を記憶する。また、端末１，２にはそれぞれ固有の端末識別情報（端末ＩＤ）が付されており、この端末ＩＤもＲＯＭに記憶されている。また、画像撮影部１６で撮影された撮影データも記憶する。ＲＡＭ１７は、制御部１７による制御動作に使用されるワーキングエリアである。
〔写真撮影方法〕
次に、本発明の一実施形態による写真撮影方法について説明する。尚、以下の説明では、端末２が端末１の近傍に位置し、端末１と端末２とが交信部１２を介して互いに交信が可能であるとする。また、端末１の端末ＩＤが、端末２のアドレス帳に格納されているとする。図３は撮影時において端末１で行われる処理を示すフローチャートであり、図４は端末１の撮影時に端末２で行われる処理を示すフローチャートである。
【００３４】
図３に示す通り、端末１のユーザが端末１のキー入力部１３を操作して画像処理部１６を起動させて撮影を開始すると（ステップＳ１１）、端末１の制御部１７はＲＯＭ１８から端末１の端末ＩＤを読み出し、この読み出した端末ＩＤと撮影開始確認情報とを交信部１２からブロードキャストにて送信する（ステップＳ１２）。尚、これらを送信すると、端末１の制御部１７は、一定時間の間、端末２からの返信（データ受信要求）の有無を判断する（ステップＳ１３）。
【００３５】
端末１から送信された端末１の端末ＩＤ及び撮影開始確認情報は端末２の交信部１２で受信され、制御部１７に出力される（図４中のステップＳ２１）。端末２の制御部１７は、交信部１２で受信した端末ＩＤをキーとしてＲＯＭ１８に記憶されているアドレス帳を検索し、その端末ＩＤに対応付けられているユーザ（撮影者）の個人情報を読み出す。そして、端末１からの端末ＩＤ及び撮影開始確認情報を受信した日時、撮影場所、撮影者を示す情報、端末１の端末ＩＤ、撮影データを特定するための撮影番号等を撮影履歴データとしてＲＯＭ１８に追記する（ステップＳ２２）。
【００３６】
ここで、撮影履歴データについて詳述する。図５は、端末２に記録される撮影履歴データの一例を示す図である。図５に示す通り、撮影履歴データは、複数のレコードＲ１〜Ｒ３，…からなり、各レコードには送信されてきた端末ＩＤ毎の各種情報が格納される。レコードＲ１〜Ｒ３，…の各々は、６つのフィールドＦ１〜Ｆ６を含んでいる。フィールドＦ１にはレコード番号が格納される。このレコード番号は、例えば「１」から始まる連続した重複しない番号が割り当てられる。
【００３７】
フィールドＦ２には、端末１で撮影された撮影データを特定するための一意に定まる（ユニークな）番号が格納される。フィールドＦ３には、撮影が行われた日時（端末１から送信された端末ＩＤを受信した日時）が格納される。フィールドＦ４には、撮影を行った場所を示す情報が格納される。この情報は、例えば端末２が最も近接している基地局３から取得した識別情報（基地局３に予め割り当てられている識別情報）を用いることができる。尚、端末２がＧＰＳ（Global Positioning System）機能を備えている場合には、端末１からの端末ＩＤを受信したときにＧＰＳ機能から得られる位置情報を用いることもできる。
【００３８】
フィールドＦ５には、撮影者に関する情報が格納される。この情報は、端末１から送信されてきた端末ＩＤに基づいて、端末２の制御部１７がＲＯＭ１８に記録されているアドレス帳を検索し、その端末ＩＤに対応付けられている端末１のユーザの氏名等を格納する。尚、送信されてきた端末ＩＤに対応する氏名が端末２のアドレス帳に記録されていない場合には、端末ＩＤをフィールドＦ５に格納しても良い。
【００３９】
フィールドＦ６には、端末１から送信された端末ＩＤに対する端末２の現在の状態を示す情報が格納される。このフィールドＦ６には、具体的には、「要求未送信」、「要求送信済み」、及び「データ受信済み」を示す情報が格納される。ここで、「要求未送信」は、端末ＩＤを送信してきた端末１に対して、撮影した撮影データの受信要求を示すデータ受信要求信号をまだ送信していない場合に格納され、「要求送信済み」は受信要求信号が送信済みである場合に格納される。また、「データ受信済み」は、端末１で撮影された撮影データを端末２で受信した場合に格納される。
【００４０】
端末２の制御部１７が撮影履歴データをＲＯＭ１８に追記すると（ステップＳ２２）、制御部１７は端末ＩＤ等を送信してきた端末１に対して返信を行う設定になっているか否かを判断する（ステップＳ２３）。ここで、端末２は、他の端末（例えば、端末１）からの端末ＩＤ及び撮影開始確認情報を受信したときに、その端末で撮影された撮影データを端末２が受信する旨を要求するデータ受信要求信号を自動的に返信するか、又は端末のユーザに応じて送信するかを予め設定可能になっている。
【００４１】
端末２の制御部１７は、端末ＩＤ等を送信してきた端末１に対して返信を行う設定になっていると判断した場合には、ＲＯＭ１８から端末２の端末ＩＤを読み出し、この読み出した端末ＩＤとデータ受信要求信号とを交信部１２からブロードキャストにて送信し（ステップＳ２４）、一連の処理が終了する。尚、端末１への返信を行った場合には、端末２の制御部１７は、撮影履歴データのフィールドＦ６に「要求送信済み」を格納する。
【００４２】
一方、端末２の制御部１７が、端末ＩＤ等を送信してきた端末１に対して返信を行う設定になっていないと判断した場合には、端末１に対する返信は行わずに一連の処理が終了する。尚、このときには、端末２の制御部１７は、撮影履歴データのフィールドＦ６に「要求未送信」を格納する。
【００４３】
端末１の制御部１７は、一定時間の間、端末２からの返信の有無を判断しており（ステップＳ１３）、一定時間内に端末２からの返信があった場合には、ステップＳ１３の判断結果が「ＹＥＳ」となる。そして、端末１の制御部１７は、ステップＳ１１で撮影した撮影データを端末１のＲＯＭ１８に記憶させる（ステップＳ１４）。次いで、その撮影データに対して端末２から送信されてきた端末２の端末ＩＤを付加したデータを生成し、そのデータをＲＯＭ１８に記憶させ（ステップＳ１５）、一連の処理を終了する。尚、撮影データに端末２の端末ＩＤを付加したデータを生成するのは、必ずしも撮影処理の最中である必要はなく、端末１が待ち受け中に行っても良い。一方、ステップＳ１３の判断結果が「ＮＯ」である場合には、ステップＳ１１で撮影した撮影データを端末１のＲＯＭ１８に記憶させ（ステップＳ１６）、一連の処理を終了する。
【００４４】
端末１，２での撮影時における処理が終了すると、次に端末１で撮影した撮影データを端末２との間で共有するための処理が行われる。図６は、撮影後において端末１で行われる処理を示すフローチャートである。撮影が終了すると、端末１の制御部１７は、ＲＯＭ１８に記憶されている撮像データを検索し、端末識別情報が付加された撮像データの有無を判断する（ステップＳ３１）。ここで、端末識別情報が付加されている撮像データは、他の端末からのデータ受信要求信号を受けた撮像データである。
【００４５】
この判断結果が「ＹＥＳ」の場合には、その撮像データに付加されている端末識別情報をキーとしてＲＯＭ１８に記憶されているアドレス帳を検索し、その端末識別情報がアドレス帳に格納されているか否かを判断する（ステップＳ３２）。この判断結果が「ＹＥＳ」である場合には、その撮像データを、他の端末（データ受信要求信号を送信した端末）へ未送信であるか否かを判断する（ステップＳ３３）。尚、端末識別情報が付加された撮影データには、送信済みであるか否かを示す情報が付加されており、この付加された情報に基づいて制御部１７は撮影データの送信・未送信を判断する。
【００４６】
ステップＳ３３の判断結果が「ＹＥＳ」である場合には、端末１の制御部１７は、自動送信処理を開始する（ステップＳ３４）。ここで、自動送信処理としては、例えば電子メールで撮影データを送信する処理が挙げられる。電子メールを用いた自動送信処理では、例えば端末１の制御部１７が、撮像データに付加されている端末識別情報をキーとしてアドレス帳を検索し、その端末識別情報がアドレス帳に格納されている場合に、その端末識別情報に電子メールアドレスが対応付けられている場合には、その電子メールアドレス宛に撮像データを送信する処理を行う。
【００４７】
尚、端末１のユーザは、自動送信処理を行うか否かを予め設定することが可能である。このため、自動送信処理を行わない設定の場合には、ユーザが手動で送信先を設定して撮影データをメール送信することもできる。尚、ここでは、電子メールにより基地局３を介して端末２に撮影データを送信する場合を例に挙げて説明するが、交信部１２を用いて端末２に直接撮影データを送信しても良い。
【００４８】
以上の処理を終えると、端末１の制御部１７は、撮影データの送信が成功したか否かを判断し（ステップＳ３５）する。この判断結果が「ＹＥＳ」の場合には、ＲＯＭ１８に記憶されている撮影データに対して送信が完了した旨を示す送信済み情報を追記し（ステップＳ３６）、一連の処理が終了する。
【００４９】
一方、ステップＳ３１、Ｓ３３、Ｓ３５の判断結果が「ＮＯ」である場合、即ち、端末識別情報が付加された撮影データがＲＯＭ１８に記憶されていない場合、データ受信要求信号を送信した端末への撮影データの送信が完了している場合、又は撮影データの送信が失敗した場合は、端末１の制御部１７は一連の処理を終了する。また、ステップＳ３２の判断結果が「ＮＯ」である場合、即ち、端末識別情報が付加された撮影データがＲＯＭ１８に記憶されてはいるが、その端末識別情報がアドレス帳に格納されていない場合には、端末１の制御部１７は、撮影データをサーバ４へ送信する（アップロードする）処理を行う（ステップＳ３７）。ここで、サーバ４へアップロードされる撮影データは、データ受信要求信号を送信した端末の端末識別情報が付加された撮影データである。アップロードが終了すると一連の処理が終了する。
【００５０】
図７はサーバ４にアップロードされた撮影データを端末２で取得する処理を示すフローチャートであり、図８は撮影データを端末２に送信する処理を示すフローチャートである。まず、端末２のユーザが端末２のキー入力部１３に対して所定の操作を行うと、端末２の制御部１７は、ＲＯＭ１８に記憶されている撮影履歴データのフィールドＦ６（図５参照）に「データ受信済み」が格納されていないものがあるか否かを判断する（ステップＳ４１）。この判断結果が「ＹＥＳ」の場合には、端末２の制御部１７は基地局３を介して自動的にサーバ４にアクセスする（ステップＳ４２）。尚、サーバ４へのアクセスはユーザが任意に設定することができる。例えば、サーバにアクセスする時間を設定したり、撮影履歴データの各項目を条件に自動受信したり、或いはユーザの指定のみによりアクセスを行う等を設定することができる。
【００５１】
端末２からのアクセスがあると、サーバ４は、アクセスしてきた端末２に対して端末識別情報と未受信の撮影履歴データ（フィールドＦ６に「データ受信済み」が格納されていないもの）の送信要求を送信する。この送信要求を受信すると端末２は、これらの情報をサーバ装置４に送信する。これにより、サーバ４は、端末識別情報と未受信の撮影履歴データとを取得する（ステップＳ５１）。これらの情報を取得すると、サーバ４は取得した端末識別情報をキーとして保存されている撮影データの中からその端末識別情報が付加された撮影データを検索する（ステップＳ５２）。
【００５２】
保存されている撮影データのうちの端末２の端末識別情報が付加された撮影データが検索された場合には、その撮影データが端末２で受信されていないものであるか否かが判断される（ステップＳ５３）。この判断結果が「ＹＥＳ」の場合には、サーバ４は端末２へ向けて、その撮影データを送信する処理を行う（ステップＳ５４）。一方、ステップＳ５３の判断結果が「ＮＯ」である場合には、一連の処理が終了する。
【００５３】
サーバ４で撮影データの送信処理が開始されると（ステップＳ５４）、サーバ４は端末２に対して撮影データを送信する旨の送信開始信号を送信する。端末２はサーバ４へアクセスした後で、未送信の撮影データの有無を判断しており（ステップＳ４３）、サーバ４からの送信開始信号を受信すると、ステップＳ４３の判断結果は「ＹＥＳ」になる。そして、サーバ４との間で撮影データの受信処理を行い（ステップＳ４４）、受信処理を完了すると、その撮影データに関する撮影履歴データを「データ受信済み」に変更する。具体的には、端末２の制御部１７が、受信した撮影データのデータ番号がフィールドＦ２に格納されているレコードのフィールドＦ６の内容を「データ受信済み」に変更する。一方、一定期間サーバ４からの送信開始信号を受信できなかった場合には、ステップＳ４３の判断結果は「ＮＯ」となり、一連の処理が終了する。
【００５４】
以上説明したように、本実施形態によれば、端末１が備える画像撮影部１６で撮影を行うときに撮影を開始する旨を示す撮影開始確認情報を端末２に通知し、この通知を受け取った端末２は予め割り当てられている端末識別情報を端末１に返信し、端末１は画像撮影部１６により撮影を行って得られた撮影データに端末２から返信されてきた端末識別情報を付加したデータを生成している。そして、この端末識別情報が付加されたデータを、その端末識別情報が割り当てられた端末２へ電子メールにより送信し、或いはサーバ４にアップロードしている。また、端末２には撮影履歴データが記録されるため、撮影履歴データを参照すれば、未取得の撮影データを容易に取得することができる。以上から、本実施形態では、撮影した撮影データを共有する際の手間を省いて利便性を向上させることができる。
【００５５】
以上、本発明の一実施形態による写真撮影システム、方法、及び端末について説明したが、本発明は上記実施形態に制限されることなく、本発明の範囲内で自由に変更が可能である。
【符号の説明】
【００５６】
１，２    端末
３        基地局
４        サーバ
１１      無線通信部
１２      交信部
１６      画像撮影部
１７      制御部
１８      ＲＯＭ
【図１】
2011120282.tif 000003
【図２】
2011120282.tif 000004
【図３】
2011120282.tif 000005
【図４】
2011120282.tif 000006
【図５】
2011120282.tif 000007
【図６】
2011120282.tif 000008
【図７】
2011120282.tif 000009
【図８】
2011120282.tif 000010
【手続補正書】
【提出日】平成23年3月18日(2011.3.18)
【手続補正１】
【補正対象書類名】特許請求の範囲
【補正対象項目名】全文
【補正方法】変更
【補正の内容】
【特許請求の範囲】
【請求項１】
撮影機構を備える第１端末と、第２端末とを含む写真撮影システムであって、
前記第１端末は、
前記撮影機構による撮影が行われる場合に、撮影を開始する旨を示す撮影開始確認情報を前記第２端末に通知する通知手段と、
前記第２端末に予め割り当てられた第２端末識別情報が前記第２端末から送信されてきた場合に、前記撮影機構により撮影を行って得られた撮影を行なった場所を示す情報を含む撮影データに前記第２端末識別情報を付加したデータを生成するデータ生成手段と、を備え
前記第２端末は、前記第１端末から前記撮影開始確認情報が通知された場合に、前記第２端末識別情報を前記第１端末に返信する返信手段を備える
ことを特徴とする写真撮影システム。
【請求項２】
前記第２端末の前記返信手段は、前記第２端末識別情報を返信する場合に、前記撮像データの受信を要求する受信要求信号を前記第２端末識別情報とともに返信することを特徴とする請求項１記載の写真撮影システム。
【請求項３】
前記第２端末は、前記第１端末から通知された前記撮影開始確認情報の履歴を記録する履歴記録手段を備えることを特徴とする請求項２記載の写真撮影システム。
【請求項４】
前記第１端末の前記通知手段は、前記撮影開始確認情報を通知する場合に、前記第１端末に予め割り当てられた第１端末識別情報を前記撮影開始確認情報とともに通知し、
前記第２端末の前記記録手段は、第１端末から通知された前記第１端末識別情報と前記撮影開始確認情報とを対応付けて前記履歴として記録する
ことを特徴とする請求項３記載の写真撮影システム。
【請求項５】
前記第１端末及び前記第２端末は、基地局を介して通信を行う通信手段をそれぞれ備えており、
前記第１端末は、前記通信手段を制御して、前記データ生成手段で生成されたデータを、前記基地局を介して前記受信要求信号を送信してきた前記第２端末に送信する送信手段を備える
ことを特徴とする請求項２から請求項４の何れか一項に記載の写真撮影システム。
【請求項６】
前記基地局に接続されたサーバ装置を備えており、
前記第１端末の前記送信手段は、前記データ生成手段で生成されたデータを、前記基地局を介して前記サーバ装置に送信することを特徴とする請求項５記載の写真撮影システム。
【請求項７】
前記第２端末は、前記第１端末から前記サーバ装置に送信された前記データを、前記通信手段を制御して取得する取得手段を備えることを特徴とする請求項６記載の写真撮影システム。
【請求項８】
撮影機構を備える第１端末を用いた写真撮影方法であって、
前記撮影機構による撮影を行う際に、撮影を開始する旨を示す撮影開始確認情報を第２端末に通知する通知ステップと、
前記第１端末から前記撮影開始確認情報が通知されたときに、前記第２端末に予め割り当てられた第２端末識別情報を、前記第２端末から前記第１端末に返信する返信ステップと、
前記第２端末情報が前記第２端末から送信されてきた場合に、前記撮影機構により撮影を行って得られた撮影を行なった場所を示す情報を含む撮影データに前記第２端末識別情報を付加したデータを生成するデータ
生成ステップと
を含むことを特徴とする写真撮影方法。
【請求項９】
前記返信ステップは、前記第２端末識別情報とともに前記撮像データの受信を要求する受信要求信号を返信するステップであり、
前記データ生成ステップで生成されたデータを、前記第１端末から基地局を介して前記受信要求信号を送信してきた前記第２端末に送信する送信ステップを含むことを特徴とする請求項８記載の写真撮影方法。
【請求項１０】
前記第１端末から前記撮影開始確認情報が通知されたときに、前記第２端末が前記撮影開始確認情報の履歴を記録する履歴記録ステップを含むことを特徴とする請求項８又は請求項９記載の写真撮影方法。
【請求項１１】
前記基地局にはサーバ装置が接続されており、
前記送信ステップは、前記データ生成手段で生成されたデータを、前記基地局を介して前記サーバ装置に送信するステップであることを特徴とする請求項９記載又は請求項１０記載の写真撮影方法。
【請求項１２】
前記第２端末が前記サーバ装置にアクセスして、前記第１端末から前記サーバ装置に送信された前記データを取得する取得ステップを含むことを特徴とする請求項１１記載の写真撮影方法。
【請求項１３】
撮影機構を備える写真撮影端末において、
前記撮影機構による撮影が行われる場合に、撮影を開始する旨を示す撮影開始確認情報を他の端末に通知する通知手段と、
前記他の端末に予め割り当てられた端末識別情報が前記端末から送信されてきた場合に、前記撮影機構により撮影を行って得られた撮影を行なった場所を示す情報を含む撮影データに前記端末識別情報を付加したデータを生成するデータ生成手段と
を備えることを特徴とする写真撮影端末。
【手続補正２】
【補正対象書類名】明細書
【補正対象項目名】０００９
【補正方法】変更
【補正の内容】
【０００９】
上記課題を解決するために、本発明の写真撮影システムは、撮影機構を備える第１端末と、第２端末とを含む写真撮影システムであって、前記第１端末は、前記撮影機構による撮影が行われる場合に、撮影を開始する旨を示す撮影開始確認情報を前記第２端末に通知する通知手段と、前記第２端末に予め割り当てられた第２端末識別情報が前記第２端末から送信されてきた場合に、前記撮影機構により撮影を行って得られた撮影を行なった場所を示す情報を含む撮影データに前記第２端末識別情報を付加したデータを生成するデータ生成手段と、を備え前記第２端末は、前記第１端末から前記撮影開始確認情報が通知された場合に、前記第２端末識別情報を前記第１端末に返信する返信手段を備えることを特徴としている。
【手続補正３】
【補正対象書類名】明細書
【補正対象項目名】００１６
【補正方法】変更
【補正の内容】
【００１６】
上記課題を解決するために、本発明の写真撮影方法は、撮影機構を備える第１端末を用いた写真撮影方法であって、前記撮影機構による撮影を行う際に、撮影を開始する旨を示す撮影開始確認情報を第２端末に通知する通知ステップと、前記第１端末から前記撮影開始確認情報が通知されたときに、前記第２端末に予め割り当てられた第２端末識別情報を、前記第２端末から前記第１端末に返信する返信ステップと、前記第２端末情報が前記第２端末から送信されてきた場合に、前記撮影機構により撮影を行って得られた撮影を行なった場所を示す情報を含む撮影データに前記第２端末識別情報を付加したデータを生成するデータ生成ステップとを含むことを特徴としている。
【手続補正４】
【補正対象書類名】明細書
【補正対象項目名】００２１
【補正方法】変更
【補正の内容】
【００２１】
上記課題を解決するために、本発明の写真撮影端末は、撮影機構を備える写真撮影端末において、前記撮影機構による撮影が行われる場合に、撮影を開始する旨を示す撮影開始確認情報を他の端末に通知する通知手段と、前記他の端末に予め割り当てられた端末識別情報が前記端末から送信されてきた場合に、前記撮影機構により撮影を行って得られた撮影を行なった場所を示す情報を含む撮影データに前記端末識別情報を付加したデータを生成するデータ生成手段とを備えることを特徴としている。